(57)【特許請求の範囲】
【請求項１】
第１周波数帯の送信部および受信部と、
第２周波数帯の送信部および受信部と、
第１周波数帯または第２周波数帯の送信部によって送信される信号を処理し、第１周波数帯または第２周波数帯の受信部によって受信された信号を処理する信号処理部と、
当該基地局無線通信装置の動作中は第１周波数帯および第２周波数帯の受信部を共に動作させるとともに、第１周波数帯および第２周波数帯の送信部は一方のみを選択的に動作させる制御部と、
を備える基地局無線通信装置。
【請求項２】
請求項１の基地局無線通信装置において、
前記制御部は、当該基地局無線通信装置と通信中の全ての無線通信端末が、第１周波数帯および第２周波数帯の両方に対応しているときには、第１周波数帯および第２周波数帯の両方で基準信号を発信し、当該基地局無線通信装置と通信中の無線通信端末中に、第１周波数帯および第２周波数帯のいずれか一方にしか対応していない無線通信端末が存在するときには、その無線通信端末と通信中の周波数帯でのみ基準信号を発信する基地局無線通信装置。
【請求項３】
請求項２の基地局無線通信装置において、
前記制御部は、第１周波数帯および第２周波数帯のいずれか一方の周波数帯を通信周波数帯として、第１周波数帯および第２周波数帯の両方に対応している無線通信端末と通信中に、他方の周波数帯の受信部によって、他方の周波数帯にしか対応していない無線通信端末からの接続要求を受信したときには、通信周波数帯を前記一方の周波数帯から前記他方の周波数帯に切り替えて通信を行う基地局無線通信装置。
【請求項４】
請求項３の基地局無線通信装置において、
前記制御部は、通信周波数帯を前記一方の周波数帯から前記他方の周波数帯に切り替える前に、通信中の第１周波数帯および第２周波数帯の両方に対応している無線通信端末に通信周波数帯の切り替えを同報する基地局無線通信装置。
【発明の詳細な説明】
【０００１】
【発明の属する技術分野】
この発明は、アクセスポイントとして機能する基地局無線通信装置と、これとの間の無線通信によってインターネットにアクセスするなどの機能を実行する無線通信端末とからなる無線ＬＡＮシステムの、基地局無線通信装置に関する。
【０００２】
【従来の技術】
住宅内やオフィス内などの限られたエリア内で構築される無線ＬＡＮシステムの一種として、図５に示すように、モデム１５を介して電話回線１に接続されるなど、アクセスポイントとして機能する基地局無線通信装置１０と、この基地局無線通信装置１０との間の無線通信によって、インターネットにアクセスし、インターネット上の情報を受信して、ディスプレイ４１上に表示し、電子メールを送受信するなどの機能を実行する無線通信端末３０とからなるシステムが考えられている。
【０００３】
このようなシステムに用いることができる無線周波数帯として、ＩＥＥＥ８０２．１１ｂ規格では、最大１１Ｍｂｐｓのデータ伝送レートの２．４ＧＨｚ帯が規定され、ＩＥＥＥ８０２．１１ａ規格では、最大５４Ｍｂｐｓのデータ伝送レートの５．２ＧＨｚ帯（米国では５．８ＧＨｚ帯で、総称して５ＧＨｚ帯と呼ばれる）が規定されている。
【０００４】
具体的に、ＩＥＥＥ８０２．１１ｂ規格では、図６に示すように、２．４ＧＨｚ帯内に、チャンネル１からチャンネル１１まで、５ＭＨｚおきに１１チャンネルの無線周波数が割り当てられている。
【０００５】
しかし、同一エリア内で同時に複数の無線チャンネルを設定する場合には、隣り合う無線チャンネルの周波数間隔を２５ＭＨｚ以上とすることが定められている。これは、送受信される高周波信号が、変調された一定の帯域を有するものであるため、隣り合う無線チャンネルの周波数が近接していると、それぞれの無線チャンネルの信号が互いに相手方に対して妨害波となるからである。
【０００６】
そのため、同一エリア内で同時に設定可能な無線チャンネル数は、図６でチャンネル１，６，１１として示すように、最大で３チャンネルに限られる。
【０００７】
ＩＥＥＥ８０２．１１ａ規格による５．２ＧＨｚ帯についても、上記と同様の理由から、同一エリア内で同時に複数の無線チャンネルを設定する場合には、隣り合う無線チャンネルの周波数間隔を２０ＭＨｚ以上とすることが定められている。
【０００８】
そのため、同一エリア内で同時に設定可能な無線チャンネル数は、図７にチャンネルＣ１，Ｃ２，Ｃ３，Ｃ４として示すように、最大で４チャンネルに限られる。
【０００９】
そこで、図５に示した無線ＬＡＮシステムで、基地局無線通信装置１０を５．２ＧＨｚ帯と２．４ＧＨｚ帯の両方に対応したものとすれば、同一エリア内において、７個の無線ＬＡＮシステムの間で無線周波数を変えて、それぞれのシステムで同時に無線通信を行うことが可能となる。
【００１０】
すなわち、この場合、図８に示すように、エリアＥとして示す同一エリア内に存在する７個の無線ＬＡＮシステムＳ１〜Ｓ７の基地局無線通信装置Ｂ１〜Ｂ７を周波数帯Ｂａ（５．２ＧＨｚ帯）と周波数帯Ｂｂ（２．４ＧＨｚ帯）の両方に対応したものとし、システムＳ１では周波数帯ＢａのチャンネルＣ１を、システムＳ２では周波数帯ＢａのチャンネルＣ２を、システムＳ３では周波数帯ＢａのチャンネルＣ３を、システムＳ４では周波数帯ＢａのチャンネルＣ４を、システムＳ５では周波数帯ＢｂのチャンネルＣ５を、システムＳ６では周波数帯ＢｂのチャンネルＣ６を、システムＳ７では周波数帯ＢｂのチャンネルＣ７を、それぞれ通信チャンネルとすることによって、それぞれ他のシステムの通信電波が自システムに対して妨害波とならない状態で、システムＳ１〜Ｓ７で同時に無線通信を行うことが可能となる。
【００１１】
このように基地局無線通信装置を２つの周波数帯に対応したものとする構成としては、図９に示すように２つの周波数帯の送受信部を独立に動作させる構成と、図１０に示すように２つの周波数帯の送受信部を選択的に動作させる構成とが考えられる。
【００１２】
具体的に、図９の例では、基地局無線通信装置１０の回線端子１１が、モデム１５を介して制御部１９に接続され、回線端子１１に、電話回線１が接続される。制御部１９は、ＣＰＵ、このＣＰＵが実行すべきプログラムや固定データなどが書き込まれたＲＯＭ、およびＣＰＵのワークエリアなどとして機能するＲＡＭなどによって構成される。
【００１３】
制御部１９には、ＤＳＰ（Ｄｉｇｉｔａｌ  Ｓｉｇｎａｌ  Ｐｒｏｃｅｓｓｏｒ）２１が接続され、このＤＳＰ２１に、周波数帯Ｂａ（５．２ＧＨｚ帯）の送受信部２３ａおよび周波数帯Ｂｂ（２．４ＧＨｚ帯）の送受信部２３ｂが接続される。
【００１４】
送受信部２３ａ，２３ｂは、それぞれ、ＤＳＰ２１の送信出力端Ｔａ，Ｔｂに得られるベースバンドの信号が、送信部２４ａ，２４ｂで変調され、周波数帯Ｂａ，Ｂｂ内の無線周波数の高周波信号に変換されて、送受切替回路２６ａ，２６ｂを通じてアンテナ２９ａ，２９ｂに供給され、アンテナ２９ａ，２９ｂから無線通信端末に送信されるとともに、周波数帯Ｂａ，Ｂｂ内の無線周波数の高周波信号として無線通信端末から送信された信号が、アンテナ２９ａ，２９ｂで受信され、送受切替回路２６ａ，２６ｂを通じて受信部２５ａ，２５ｂに供給されて、受信部２５ａ，２５ｂで周波数変換され、復調されて、ベースバンドの信号として、ＤＳＰ２１の受信入力端Ｒａ，Ｒｂに入力される構成とされる。
【００１５】
そして、図９の例では、送受信部２３ａおよび２３ｂが独立に動作する。したがって、この例では、基地局無線通信装置１０と、周波数帯Ｂａ，Ｂｂの両方に対応した無線通信端末３１および周波数帯Ｂａにのみ対応した無線通信端末３５との間で、または無線通信端末３１および周波数帯Ｂｂにのみ対応した無線通信端末３６との間で、または無線通信端末３５および３６との間で、あるいは無線通信端末３１，３５および３６との間で、同時に通信を行うことができる。
【００１６】
一方、図１０の例では、制御部１９からＤＳＰ２１の制御端Ｃｔを通じて送受信部２３ａおよび２３ｂに供給される制御信号Ｓｃによって、送受信部２３ａおよび２３ｂは、一方のみが選択的に動作するように、すなわち、送受信部２３ａが動作状態のときには送受信部２３ｂが非動作状態となり、送受信部２３ｂが動作状態のときには送受信部２３ａが非動作状態となるように制御される。その他は、図９の例と同じである。
【００１７】
したがって、図１０の例では、送受信部２３ａが動作することによって、基地局無線通信装置１０と、周波数帯Ｂａ，Ｂｂの両方に対応した無線通信端末３１および周波数帯Ｂａにのみ対応した無線通信端末３５との間で、同時に通信を行うことができ、送受信部２３ｂが動作することによって、基地局無線通信装置１０と、無線通信端末３１および周波数帯Ｂｂにのみ対応した無線通信端末３６との間で、同時に通信を行うことができる。
【００１８】
【発明が解決しようとする課題】
しかしながら、図９の例のように、周波数帯Ｂａの送受信部２３ａおよび周波数帯Ｂｂの送受信部２３ｂを独立に動作させる場合には、一つの無線ＬＡＮシステムで常時、周波数帯Ｂａ，Ｂｂの両方の無線チャンネルを占拠するため、周波数利用効率が悪くなり、図８に示したような無線周波数の割り当てができなくなる。
【００１９】
しかも、送信部２４ａ，２４ｂは受信部２５ａ，２５ｂに比べて消費電力が大きいので、例えば無線通信端末３５および３６に同時に信号を送信する場合のように、送信部２４ａおよび２４ｂが同時に動作する場合には、基地局無線通信装置１０の消費電力が一時的に著しく増大する。
【００２０】
一方、図１０の例のように、周波数帯Ｂａの送受信部２３ａおよび周波数帯Ｂｂの送受信部２３ｂを選択的に動作させる場合には、周波数帯Ｂａ（またはＢｂ）によって、基地局無線通信装置１０と周波数帯Ｂａ，Ｂｂの両方に対応している無線通信端末３１との間で通信を行っている際に、周波数帯Ｂｂ（またはＢａ）にのみ対応している無線通信端末３６（または３５）が通信可能エリア内に入っても、無線通信端末３６（または３５）からの接続要求が基地局無線通信装置１０で受信されないため、無線通信端末３６（または３５）は通信可能であることを判別することができず、基地局無線通信装置１０と無線通信端末３６（または３５）との間で通信を行うには、ユーザが手動操作によって通信周波数帯を周波数帯Ｂａから周波数帯Ｂｂに（または周波数帯Ｂｂから周波数帯Ｂａに）切り替える必要がある。
【００２１】
そこで、この発明は、周波数利用効率が良くなり、消費電力が少なくなるとともに、通信周波数帯の切り替えによって端末が通信可能である場合には、その端末において通信可能であることを判別することができ、ユーザの切り替え操作を要することなく通信周波数帯が切り替えられるデュアルバンド対応の基地局無線通信装置を実現するものである。
【００２２】
【課題を解決するための手段】
この発明の基地局無線通信装置は、
第１周波数帯の送信部および受信部と、
第２周波数帯の送信部および受信部と、
第１周波数帯または第２周波数帯の送信部によって送信される信号を処理し、第１周波数帯または第２周波数帯の受信部によって受信された信号を処理する信号処理部と、
当該基地局無線通信装置の動作中は第１周波数帯および第２周波数帯の受信部を共に動作させるとともに、第１周波数帯および第２周波数帯の送信部は一方のみを選択的に動作させる制御部と、
を備えるものとする。
【００２３】
上記のように構成した、この発明の基地局無線通信装置では、第１周波数帯（または第２周波数帯）の送信部が動作中で、すなわち第１周波数帯（または第２周波数帯）を通信周波数帯として、第１周波数帯および第２周波数帯の両方に対応している無線通信端末に信号を送信しているときでも、第２周波数帯（または第１周波数帯）の受信部は動作しているので、その第２周波数帯（または第１周波数帯）の受信部によって、第２周波数帯（または第１周波数帯）にのみ対応している無線通信端末からの接続要求を受信することができ、第２周波数帯（または第１周波数帯）にのみ対応している無線通信端末は、通信可能であることを判別することができる。
【００２４】
したがって、その接続要求に基づいて、基地局無線通信装置の制御部が、通信周波数帯を第１周波数帯から第２周波数帯に（または第２周波数帯から第１周波数帯に）切り替えることによって、すなわち第１周波数帯（または第２周波数帯）の送信部が動作している状態から第２周波数帯（または第１周波数帯）の送信部が動作する状態に切り替えることによって、第１周波数帯および第２周波数帯の両方に対応している無線通信端末との間の通信が継続される状態で、基地局無線通信装置と第２周波数帯（または第１周波数帯）にのみ対応している無線通信端末との間で通信が実行されるようになる。
【００２５】
しかも、送信部については、いずれか一方の周波数帯の送信部のみが選択的に動作し、通信周波数帯として第１周波数帯および第２周波数帯の両方を同時に占拠することがないので、周波数利用効率が高くなるとともに、それぞれの周波数帯の送信部が同時に動作することがないので、消費電力が著しく増大することがない。
【００２６】
【発明の実施の形態】
〔システム構成：図１および図２〕
図１に、この発明の基地局無線通信装置の一例を含む無線ＬＡＮシステムの一例を示す。
【００２７】
この例では、基地局無線通信装置１０は、アクセスポイントとして機能して、インターネットにアクセスし、電子メールを送受信するだけでなく、テレビ放送の受信用のチューナが内蔵され、テレビの映像および音声を受信できる構成とされる。
【００２８】
具体的に、基地局無線通信装置１０には、回線端子１１、ＡＤＳＬモデムやＣＡＴＶモデムなどの接続用のイーサネット（登録商標）端子１２、およびアンテナ端子１３が設けられ、回線端子１１が、モデム１５を介して制御部１９に接続され、イーサネット（登録商標）端子１２が、インタフェース１６を介して制御部１９に接続され、アンテナ端子１３が、チューナ１７を介して制御部１９に接続され、回線端子１１に、電話回線１が接続され、アンテナ端子１３に、テレビ放送の受信用のアンテナ３が接続される。
【００２９】
制御部１９は、ＣＰＵ、このＣＰＵが実行すべき後述の接続処理ルーチンを含むプログラムや固定データなどが書き込まれたＲＯＭ、およびＣＰＵのワークエリアなどとして機能するＲＡＭなどによって構成される。
【００３０】
制御部１９には、信号処理部としてＤＳＰ２１が接続され、ＤＳＰ２１に、周波数帯Ｂａ（５．２ＧＨｚ帯）の送受信部２３ａおよび周波数帯Ｂｂ（２．４ＧＨｚ帯）の送受信部２３ｂが接続される。
【００３１】
送受信部２３ａ，２３ｂは、それぞれ、ＤＳＰ２１の送信出力端Ｔａ，Ｔｂに得られるベースバンドの信号が、送信部２４ａ，２４ｂで変調され、周波数帯Ｂａ，Ｂｂ内の無線周波数の高周波信号に変換されて、送受切替回路２６ａ，２６ｂを通じてアンテナ２９ａ，２９ｂに供給され、アンテナ２９ａ，２９ｂから無線通信端末に送信されるとともに、周波数帯Ｂａ，Ｂｂ内の無線周波数の高周波信号として無線通信端末から送信された信号が、アンテナ２９ａ，２９ｂで受信され、送受切替回路２６ａ，２６ｂを通じて受信部２５ａ，２５ｂに供給されて、受信部２５ａ，２５ｂで周波数変換され、復調されて、ベースバンドの信号として、ＤＳＰ２１の受信入力端Ｒａ，Ｒｂに入力される構成とされる。
【００３２】
そして、この例では、受信部２５ａおよび２５ｂは、基地局無線通信装置１０の動作中は共に動作させ、送信部２４ａおよび２４ｂは、一方のみを選択的に動作させる。すなわち、制御部１９からＤＳＰ２１の制御端Ｃｔを通じて送信部２４ａおよび２４ｂに供給される制御信号Ｓｃによって、送信部２４ａおよび２４ｂは、送信部２４ａが動作状態のときには送信部２４ｂが非動作状態となり、送信部２４ｂが動作状態のときには送信部２４ａが非動作状態となるように制御される。
【００３３】
基地局無線通信装置１０との間で通信を行う無線通信端末としては、周波数帯Ｂａ，Ｂｂの両方に対応した無線通信端末３１（３２）、周波数帯Ｂａにのみ対応した無線通信端末３５、および周波数帯Ｂｂにのみ対応した無線通信端末３６が考えられる。以下では、「基地局無線通信装置」を「基地局」と略し、「無線通信端末」を「端末」と略する。
【００３４】
図２に、端末３１の一例を示す。この例では、上述したように基地局１０がテレビの映像および音声を受信できることに対応して、端末３１が基地局１０からテレビの映像および音声を受信できる構成とされる。
【００３５】
具体的に、端末３１には、液晶ディスプレイなどのディスプレイ４１、左右のスピーカ４２、および各種キーやタッチパネルなどからなる操作部４３が設けられ、ディスプレイ４１が、表示制御部４５を介して制御部４９に接続され、スピーカ４２が、Ｄ／Ａコンバータや音声増幅回路を含む音声出力部４６を介して制御部４９に接続され、操作部４３が、インタフェース４７を介して制御部４９に接続される。
【００３６】
制御部４９は、基地局１０の制御部１９と同様に、ＣＰＵ、このＣＰＵが実行すべき接続処理ルーチンを含むプログラムや固定データなどが書き込まれたＲＯＭ、およびＣＰＵのワークエリアなどとして機能するＲＡＭなどによって構成される。
【００３７】
制御部４９には、信号処理部としてＤＳＰ５１が接続され、ＤＳＰ５１に、周波数帯Ｂａ（５．２ＧＨｚ帯）の送受信部５３ａおよび周波数帯Ｂｂ（２．４ＧＨｚ帯）の送受信部５３ｂが接続される。
【００３８】
送受信部５３ａ，５３ｂは、それぞれ、ＤＳＰ５１の送信出力端Ｔａ，Ｔｂに得られるベースバンドの信号が、送信部５４ａ，５４ｂで変調され、周波数帯Ｂａ，Ｂｂ内の無線周波数の高周波信号に変換されて、送受切替回路５６ａ，５６ｂを通じてアンテナ５９ａ，５９ｂに供給され、アンテナ５９ａ，５９ｂから基地局１０に送信されるとともに、周波数帯Ｂａ，Ｂｂ内の無線周波数の高周波信号として基地局１０から送信された信号が、アンテナ５９ａ，５９ｂで受信され、送受切替回路５６ａ，５６ｂを通じて受信部５５ａ，５５ｂに供給されて、受信部５５ａ，５５ｂで周波数変換され、復調されて、ベースバンドの信号として、ＤＳＰ５１の受信入力端Ｒａ，Ｒｂに入力される構成とされる。
【００３９】
ただし、端末３１では、制御部４９からＤＳＰ５１の制御端Ｃｔを通じて送受信部５３ａおよび５３ｂに供給される制御信号Ｓｃによって、送受信部５３ａおよび５３ｂは、一方のみが選択的に動作するように、すなわち、送受信部５３ａが動作状態のときには送受信部５３ｂが非動作状態となり、送受信部５３ｂが動作状態のときには送受信部５３ａが非動作状態となるように制御される。
【００４０】
なお、テレビ放送については、操作部４３での操作によって選局用のコマンドが端末３１から基地局１０に送信されることによって、基地局１０のチューナ１７でテレビ放送が選局されて、その映像信号および音声信号がデジタルデータに変換され、その映像データおよび音声データが基地局１０から端末３１に送信されて、端末３１のディスプレイ４１上に映像が表示され、スピーカ４２から音声が出力される。
【００４１】
端末３２は、端末３１と同じである。一方、周波数帯Ｂａにのみ対応した端末３５は、送受信部５３ａのような周波数帯Ｂａの送受信部のみを備え、周波数帯Ｂｂにのみ対応した端末３６は、送受信部５３ｂのような周波数帯Ｂｂの送受信部のみを備えるものである。
【００４２】
〔接続および通信：図３および図４〕
上述した無線ＬＡＮシステムでは、以下のように、基地局１０と端末が接続され、基地局１０と端末との間で通信が実行される。
【００４３】
図３は、基地局１０の制御部１９が実行する接続処理ルーチンの一例を示し、ステップ７１は、周波数帯ＢａまたはＢｂによって、基地局１０と端末３１が接続され、基地局１０と端末３１との間で通信が実行されている状態である。
【００４４】
この状態では、基地局１０は、周波数帯Ｂａで端末３１と通信するときには、図４（Ａ）に示すように、周波数帯Ｂａで基準信号Ｓａのパケットを送信した直後に、周波数帯Ｂｂで基準信号Ｓｂのパケットを送信し、その直後に周波数帯ＢａでデータＤａのパケットを送信する。また、周波数帯Ｂｂで端末３１と通信するときには、図４（Ｂ）に示すように、周波数帯Ｂｂで基準信号Ｓｂのパケットを送信した直後に、周波数帯Ｂａで基準信号Ｓａのパケットを送信し、その直後に周波数帯ＢｂでデータＤｂのパケットを送信する。
【００４５】
この状態で、周波数帯ＢａまたはＢｂにのみ対応している端末３５または３６が、基地局１０に対して通信可能エリア内に位置すると、端末３５または３６の周波数帯ＢａまたはＢｂの受信部で、上記の基準信号ＳａまたはＳｂが受信され、端末３５または３６の周波数帯ＢａまたはＢｂの送信部から送信された接続要求が、基地局１０の共に動作中の受信部２５ａまたは２５ｂで受信されることによって、端末３５または３６は通信可能であることを判別することができ、基地局１０と接続することができる。
【００４６】
具体的に、ユーザが端末３５または３６の操作部で、インターネットへのアクセス、電子メールの送信、テレビ放送の受信などのための操作をすると、端末３５または３６から基地局１０に、接続要求信号および自己の通信可能周波数帯を示す情報が送信される。
【００４７】
図３の接続処理ルーチンでは、基地局１０の制御部１９は、ステップ７１からステップ７２に進んで、他の端末からの接続要求があるか否かを判断し、受信部２５ａまたは２５ｂで他の端末からの接続要求が受信されることによって、他の端末からの接続要求があると判断したときには、さらにステップ７３に進んで、上記の通信可能周波数帯を示す情報から、その端末の通信可能周波数帯が現に端末３１との間で通信中の周波数帯であるか否かを判断する。
【００４８】
そして、接続要求をした端末の通信可能周波数帯が通信中の周波数帯であるときには、ステップ７３からステップ７４に進んで、その通信中の周波数帯によって、端末３１および接続要求をした端末との間で通信を実行する。
【００４９】
逆に、接続要求をした端末の通信可能周波数帯が通信中の周波数帯と異なるときには、ステップ７３からステップ７５に進んで、通信中の端末３１に通信周波数帯の切り替えを同報し、さらにステップ７６に進んで、通信周波数帯を切り替えた上で、ステップ７７に進んで、切り替え後の周波数帯によって、端末３１および接続要求をした端末との間で通信を実行する。
【００５０】
さらに、ステップ７４または７７からステップ８１に進んで、通信中の各端末が周波数帯Ｂａ，Ｂｂの両方に対応しているか否かを判断し、通信中の各端末が全て周波数帯Ｂａ，Ｂｂの両方に対応しているときには、ステップ８１からステップ８２に進んで、周波数帯Ｂａ，Ｂｂの両方で基準信号を発信し、通信中の端末に周波数帯Ｂａ，Ｂｂの一方にしか対応していない端末が存在するときには、ステップ８１からステップ８３に進んで、通信中の周波数帯でのみ基準信号を発信して、接続処理を終了する。
【００５１】
具体的に、（１）周波数帯Ｂａによって端末３１と通信中に、周波数帯Ｂａにのみ対応している端末３５から接続要求があったときには、ステップ７３からステップ７４に進んで、通信周波数帯を切り替えることなく、周波数帯Ｂａによって、端末３１との間の通信を続行し、端末３５との間の通信を開始する。
【００５２】
また、（２）周波数帯Ｂｂによって端末３１と通信中に、周波数帯Ｂａにのみ対応している端末３５から接続要求があったときには、ステップ７３からステップ７５に進んで、端末３１に通信周波数帯の切り替えを同報し、さらにステップ７６に進んで、通信周波数帯を周波数帯Ｂｂから周波数帯Ｂａに切り替えた上で、ステップ７７に進んで、周波数帯Ｂａによって、端末３１との間の通信を続行し、端末３５との間の通信を開始する。
【００５３】
（１）（２）のいずれの場合も、さらにステップ８１からステップ８３に進んで、基準信号としては、図４（Ｃ）に示すように、周波数帯Ｂａの基準信号Ｓａのみを発信する。周波数帯ＢａのデータＤａとしては、端末３１に対するデータと端末３５に対するデータが時分割で送信される。
【００５４】
この状態では、上記の接続処理ルーチンによって、さらに周波数帯Ｂｂにのみ対応している端末３６を接続することはできず、端末３６を接続するには、端末３５の接続を解除する必要がある。
【００５５】
一方、（３）周波数帯Ｂｂによって端末３１と通信中に、周波数帯Ｂｂにのみ対応している端末３６から接続要求があったときには、ステップ７３からステップ７４に進んで、通信周波数帯を切り替えることなく、周波数帯Ｂｂによって、端末３１との間の通信を続行し、端末３６との間の通信を開始する。
【００５６】
また、（４）周波数帯Ｂａによって端末３１と通信中に、周波数帯Ｂｂにのみ対応している端末３６から接続要求があったときには、ステップ７３からステップ７５に進んで、端末３１に通信周波数帯の切り替えを同報し、さらにステップ７６に進んで、通信周波数帯を周波数帯Ｂａから周波数帯Ｂｂに切り替えた上で、ステップ７７に進んで、周波数帯Ｂｂによって、端末３１との間の通信を続行し、端末３６との間の通信を開始する。
【００５７】
（３）（４）のいずれの場合も、さらにステップ８１からステップ８３に進んで、基準信号としては、図４（Ｄ）に示すように、周波数帯Ｂｂの基準信号Ｓｂのみを発信する。周波数帯ＢｂのデータＤｂとしては、端末３１に対するデータと端末３６に対するデータが時分割で送信される。
【００５８】
この状態では、上記の接続処理ルーチンによって、さらに周波数帯Ｂａにのみ対応している端末３５を接続することはできず、端末３５を接続するには、端末３６の接続を解除する必要がある。
【００５９】
周波数帯Ｂａ（またはＢｂ）によって端末３１と通信中に、同じく周波数帯Ｂａ，Ｂｂの両方に対応している端末３２から接続要求があったときには、ステップ７３からステップ７４に進んで、通信周波数帯を周波数帯Ｂａ（またはＢｂ）とすることを端末３２に同報した上で、通信周波数帯を切り替えることなく、周波数帯Ｂａ（またはＢｂ）によって、端末３１との間の通信を続行し、端末３２との間の通信を開始するとともに、ステップ８１からステップ８２に進んで、図４（Ａ）（または図４（Ｂ））に示したように、周波数帯Ｂａの基準信号Ｓａと周波数帯Ｂｂの基準信号Ｓｂを交互に発信する。
【００６０】
この場合、データＤａ（またはＤｂ）としては、端末３１に対するデータと端末３２に対するデータが時分割で送信される。
【００６１】
この状態は、通信中の端末が全て周波数帯Ｂａ，Ｂｂの両方に対応している点で、ステップ７１と同じであり、したがって、この状態から、上記の接続処理ルーチンによって、さらに周波数帯Ｂａにのみ対応している端末３５または周波数帯Ｂｂにのみ対応している端末３６を接続することができる。
【００６２】
なお、端末３２が基地局１０に対して接続要求するときにも、端末３２は接続要求信号および自己の通信可能周波数帯を示す情報を送信する。
【００６３】
〔他の実施形態〕
基地局無線通信装置としては、ＤＶＤプレーヤやハードディスクレコーダなどの外部機器を接続することができ、この外部機器を端末からのコマンドによって操作することによって、この外部機器からの映像データおよび音声データが端末に送信される構成とすることもできるとともに、逆に、単にアクセスポイントとして機能するだけでもよい。
【００６４】
また、無線周波数帯として現在、ＩＥＥＥ規格および国内規格で認められている周波数帯は、５．２ＧＨｚ帯（５ＧＨｚ帯）および２．４ＧＨｚ帯のみであるが、これ以外の周波数帯を無線周波数帯とすることも、技術的に可能であり、将来的に認められる可能性もあるので、第１周波数帯および第２周波数帯は、５．２ＧＨｚ帯（５ＧＨｚ帯）および２．４ＧＨｚ帯に限らない。
【００６５】
【発明の効果】
上述したように、この発明によれば、周波数利用効率が良くなり、消費電力が少なくなるとともに、通信周波数帯の切り替えによって端末が通信可能である場合には、その端末において通信可能であることを判別することができ、ユーザの切り替え操作を要することなく通信周波数帯が切り替えられるデュアルバンド対応の基地局無線通信装置を実現することができる。
【図面の簡単な説明】
【図１】この発明の基地局無線通信装置の一例を含む無線ＬＡＮシステムの一例を示す図である。
【図２】無線通信端末の一例を示す図である。
【図３】基地局無線通信装置の制御部が実行する接続処理ルーチンの一例を示す図である。
【図４】基地局無線通信装置から送信される信号の一例を示す図である。
【図５】無線ＬＡＮシステムの一例の概要を示す図である。
【図６】２．４ＧＨｚ帯のチャンネル構成を示す図である。
【図７】５．２ＧＨｚ帯のチャンネル構成を示す図である。
【図８】デュアルバンドの説明に供する図である。
【図９】考えられる基地局無線通信装置の第１の例を示す図である。
【図１０】考えられる基地局無線通信装置の第２の例を示す図である。
【符号の説明】
主要部については図中に全て記述したので、ここでは省略する。
【図１】
0003821220.tif 000002
【図２】
0003821220.tif 000003
【図３】
0003821220.tif 000004
【図４】
0003821220.tif 000005
【図５】
0003821220.tif 000006
【図６】
0003821220.tif 000007
【図７】
0003821220.tif 000008
【図８】
0003821220.tif 000009
【図９】
0003821220.tif 000010
【図１０】
0003821220.tif 000011